(57)【要約】      （修正有）【課題】破損しても金属が露出せず安全であり、ヘッドの留め方が簡単で品質管理が容易なマッサージ器を提供する。【解決手段】先端にトップを止める貫通孔を持つ弾性体で構成されたシャフトと、シャフトの先端を挿入するたて孔とトップを挿入することが出来るよこ孔を有するヘッドと、たて孔にシャフトの先端を挿入し、ヘッドのよこ孔およびシャフトの貫通孔にトップを挿入する。【選択図】図４
0003178270.tif 000002
【実用新案登録請求の範囲】
【請求項１】
先端にトップを止める貫通孔を持つ弾性体で構成されたシャフトと、前記シャフトの先端を挿入するたて孔と前記トップを挿入することが出来るよこ孔を有するヘッドと、前記たて孔に前記シャフトの先端を挿入し、前記ヘッドのよこ孔および前記シャフトの貫通孔に前記トップを挿入したマッサージ器。
【請求項２】
ＪＩＳ  Ａ６２５３で規定された２０度〜４０度のショア硬度Ａでの硬さを持つヘッドとＪＩＳ  Ａ６２５３で規定された４０度〜６０度のショア硬度Ａでの硬さを持つトップからなる請求項１記載のマッサージ器。
【請求項３】
片方の端部を固定し逆端部に６０グラムのウエイトをかけた場合にシャフトのたわみ量が３０ｍｍから７０ｍｍの請求項１記載のマッサージ器。
【請求項４】
ヘッドが４０グラムから８０グラムの請求項１記載のマッサージ器。
【考案の詳細な説明】
【技術分野】
【０００１】
本考案はマッサージ器に関するものである。
【背景技術】
【０００２】
図８は従来品のマッサージ器の一例を断面で示したものである。従来のマッサージ器は、板ばね１３の先端に簡単な留め具１２を設けヘッド１１を接着部１５で接着しただけのものであった。
【先行技術文献】
【特許文献】
【０００３】
【特許文献１】特開２００７−０６８９２９号公報
【考案の概要】
【考案が解決しようとする課題】
【０００４】
またヘッド１１は球状であるために特定のツボを押すことが出来なかった
従来のマッサージ器は板バネ１３を直接持つ場合に取手をつける必要があった。また破損すると板ばね１３の金属先端が露出してしまうので好ましくない状態であった。さらにヘッド１１と留め具１２との接着強度にバラツキが生じ、品質管理が難しかった。
本発明は上記課題を解決したものである。
【課題を解決するための手段】
【０００５】
本考案は先端にトップを止める貫通孔を持つ弾性体で構成されたシャフトと、前記シャフトの先端を挿入するたて孔と前記トップを挿入することが出来るよこ孔を有するヘッドと、前記たて孔に前記シャフトの先端を挿入し、前記ヘッドのよこ孔および前記シャフトの貫通孔に前記トップを挿入したマッサージ器。またＪＩＳ  Ａ６２５３で規定された２０度〜４０度のショア硬度Ａでの硬さを持つヘッドとＪＩＳ  Ａ６２５３で規定された４０度〜６０度のショア硬度Ａでの硬さを持つトップからなるマッサージ器。
また片方の端部を固定し逆端部に60グラムのウエイトをかけた場合にシャフトのたわみ量が３０ｍｍから７０ｍｍのマッサージ器。またヘッドが４０グラムから８０グラムのマッサージ器。
【考案の効果】
【０００６】
本考案は、ヘッドに突起物をつけることによって特定のつぼを押すことが出来るようになった。またコイルスプリングをシャフトカバーに内包することであえて取手をつける必要がなくなった。さらに破損しても金属が露出せず安全を維持し、ヘッドの留め方が簡単に組立できるので品質管理が容易となった。
【図面の簡単な説明】
【０００７】
【図１】マッサージ器斜視図
【図２】マッサージ器正面図
【図３】マッサージ器側面図
【図４】図９の断面図
【図５】コイルスプリングの断面図
【図６】シャフトの断面図
【図７】トップ２の側面図
【図８】従来品の一例の断面図
【図９】図３の上面図
【図１０】シャフトたわみ量測定図
【図１１】異なる重量のヘッドを装着し２０名に対して実験したときの結果
【考案を実施するための形態】
【０００８】
本考案は、シャフトがしなり、ヘッドが一定の重さをもつマッサージ器である。この本考案について実施例として図面に基づき説明する。
【実施例１】
【０００９】
図１は本考案の全体を表した斜視図である。シャフト３の下端を持ちヘッド１やトップ２で肩や身体をたたくことで凝りをほぐすための器具である。
【００１０】
図２は図１の正面図である。
【００１１】
図３は図２の側面図である。
【００１２】
実施例として図４で説明する。図４は図９のＡ−Ａ断面図である。トップ２を有するヘッド１をシャフト３の先端に取り付けた状態を示している。シャフト３はコイルスプリング５を内包している。コイルスプリング５はシャフト３と接着された尻栓４で抑えられ、下方向に抜けない構造になっている。ヘッド１には孔７と孔８が設けられている。シャフト３の先端を孔７に挿入してある。シャフト３には貫通孔６が設けられておりヘッドにあけられた孔８とシャフト３の貫通孔６の位置を合わせたところにトップ２を差し込む構造になっている。このため、シャフト３を持ってヘッド１やトップ２で肩を叩いても遠心力でヘッド１がシャフトから抜けることを防止し安全に使用することができる。
【００１３】
図５はコイルスプリング５の断面図である。コイルスプリング５の弾性力によってシャフト３全体が弾性力を容易に得ることが出来ることで凝りをほぐす効果が高くなる。
【００１４】
図６はシャフト３の断面図である。
【００１５】
図７はトップ２の側面図である。ヘッド１より硬い４０度から６０度の硬度を有する弾性体で出来ている。人肌の硬度は概ね20度から40度程度であり、ツボを局部的に押すには人肌より硬いトップ２が適している。
【００１６】
図８は従来品の一例を断面図で示したものである。
【００１７】
図９は図３の上面図である。
【００１８】
図１０はコイルスプリング５を内包したシャフト３に尻栓４を取り付けた状態の図である。尻栓４を水平に固定チャック１９で固定し逆端に５ＣＭのひも１６から６０グラムのウエイト１７を下げたときに荷重方向１８にたわみが発生する状態を示したものである。
【００１９】
図１１はコイルスプリング５を内包したシャフト３に異なる重量のヘッドを装着し20名に対して実験したときの結果を集約しその傾向をまとめたものである。ヘッドの重量が４０グラムから８０グラムが適度という結果を示している。またＪＩＳ  Ａ６２５３で規定された２０度〜４０度のショア硬度Ａでの硬さを持つヘッドとＪＩＳ  Ａ６２５３で規定された４０度〜６０度のショア硬度Ａでの硬さを持つトップからなるマッサージ器を構成したものである。人肌の硬度は概ね２０度から４０度程度であり、ツボを局部的に押すには人肌より硬いトップが適している。ただし硬度が６０度より硬いと痛みを感じる度合いが強くなり不適である。全体を広く押す場合には人肌と同じ程度の硬さが適している。さらに片方の端部を固定し逆端部に６０グラムのウエイトをかけた場合にシャフトのたわみ量が２０ｍｍから６０ｍｍのマッサージ器を構成したものである。さらにヘッドが４０グラムから８０グラムの肩たたきを構成したものである。
【符号の説明】
【００２０】
１    ヘッド 
２    トップ
３    シャフト
４    尻栓
５    コイルスプリング
６    貫通孔
７    たて孔
８    よこ孔
１１  ヘッド
１２  留め具
１３  板ばね
１４  持ち手
１５  接着部
１６  ひも
１７  ウェイト
１８  荷重方向
【図１】
0003178270.tif 000003
【図２】
0003178270.tif 000004
【図３】
0003178270.tif 000005
【図４】
0003178270.tif 000006
【図５】
0003178270.tif 000007
【図６】
0003178270.tif 000008
【図７】
0003178270.tif 000009
【図８】
0003178270.tif 000010
【図９】
0003178270.tif 000011
【図１０】
0003178270.tif 000012
【図１１】
0003178270.tif 000013